(57)【要約】【課題】原稿読取装置を隣接して設置する装置の操作性を保ちつつ、原稿読取装置の配置レイアウトの自由度を高められる。【解決手段】原稿を載置する原稿載置台３０５等の載置台と、該載置台に配置された原稿を読み取る上向き原稿読取部３０３等の読取部とを備える原稿読取装置３００において、載置台を下方から支える２つの脚部材を有し、背面脚部材３０７ａ等の第１脚部材は、原稿読取装置の背面側に設置し、側面脚部材３０７ｂ等の第２脚部材は、原稿読取装置に隣接する装置の原稿読取装置が隣接する隣接側面と第２脚部材との間に空間が形成されるように、原稿読取装置に対し隣接側面の反対側になる右端側又は左端側に選択的に設置可能である。【選択図】図４
2018026635.tif 000002
【特許請求の範囲】
【請求項１】
原稿を載置する載置台と、該載置台に配置された原稿を読み取る読取部とを備える原稿読取装置において、
前記載置台を下方から支える２つの脚部材を有し、
第１脚部材は、前記原稿読取装置の背面側に配置し、
第２脚部材は、前記原稿読取装置に隣接する装置の前記原稿読取装置が隣接する隣接側面と前記第２脚部材との間に空間が形成されるように、前記原稿読取装置に対し前記隣接側面の反対側になる右端側又は左端側に選択的に設置可能であることを特徴とすることを特徴とする原稿読取装置。
【請求項２】
請求項１記載原稿読取装置において、
前記第２脚部材は、前記第１脚部材に対し右側と左側との少なくとも一方に設置しないことを特徴とする原稿読取装置。
【請求項３】
請求項２記載の原稿読取装置において、
前記第１脚部材に対し前記第２脚部材を左右両側に設置しないときは、前記第２脚部材を前記第１脚部材に重ねて設置することを特徴とする原稿読取装置。
【請求項４】
請求項２記載の原稿読取装置において、
前記第１脚部材に対し前記第２脚部材を右側又は左側に設置しないときは、前記第２脚部材は、前記第１脚部材に対し所定の角度をもって左側又は右側に開いて設置することを特徴とする原稿読取装置。
【請求項５】
請求項１乃至４のいずれか１項に記載の原稿読取装置において、
前記第１脚部材と前記第２脚部材とは、互いに着脱可能に係合されていることを特徴とする原稿読取装置。
【請求項６】
請求項１乃至５のいずれか１項に記載の原稿読取装置において、
前記第２脚部材の横幅は、前記原稿読取装置を隣接して設置する装置の奥行きと同じ又は狭いことを特徴とする原稿読取装置。
【請求項７】
請求項１乃至６のいずれか１項に記載の原稿読取装置において、
前記第１脚部材と前記第２脚部材とは、矩形枠状のフレームで構成することを特徴とする原稿読取装置。
【請求項８】
請求項１乃至７のいずれか１項に記載の原稿読取装置において、
前記載置台を下方から支える支持部材を備え、該支持部材は、欠き部を備えていることを特徴とする原稿読取装置。
【請求項９】
請求項１乃至８のいずれか１項に記載の原稿読取装置において、
前記載置台が前後に分割され、その分割された前記載置台の前部は、前記載置台の後部に対し軸回動部をもって軸回動可能に連結されていることを特徴とする原稿読取装置。
【請求項１０】
請求項１乃至９のいずれか１項に記載の原稿読取装置において、
前記載置台の前面端部は、前後方向について、前記原稿読取装置を隣接して配置する装置の前面端部に対し同じ又は後方に位置していることを特徴とする原稿読取装置。
【発明の詳細な説明】
【技術分野】
【０００１】
本発明は、原稿読取装置に関するものである。
【背景技術】
【０００２】
従来、被読取面を上方に向けた原稿（以下、上向き原稿という。）を載置する載置台と、その上向き原稿の被読取面を上方から読み取る読取部とを備える原稿読取装置が知られている。
【０００３】
例えば、特許文献１には、係る原稿読取装置であって、当該原稿読取装置の左右両側に設けた板状の脚部で載置台を支え、読み取った画像を印刷する複合機に隣接して設置する原稿読取装置が開示されている。
【発明の概要】
【発明が解決しようとする課題】
【０００４】
上記特許文献１に開示の原稿読取装置によれば、複合機の側面にジャム紙を取り出すための開閉扉があると、その開閉扉を開閉するためのスペースが必要となり、その側面側には原稿読取装置を隣接して設置できない。よって、複合機の操作性を保つために、原稿読取装置の配置レイアウトに制限が生じ、原稿読取装置の配置レイアウトの自由度が低下するという問題があった。
なお、この問題は、上向き原稿の原稿読取装置に限らず、下向き原稿の原稿読取装置にも起こり得る問題である。
【課題を解決するための手段】
【０００５】
上述した課題を解決するために、本発明は、原稿を載置する載置台と、該載置台に配置された原稿を読み取る読取部とを備える原稿読取装置において、前記載置台を下方から支える２つの脚部材を有し、第１脚部材は、前記原稿読取装置の背面側に配置し、第２脚部材は、前記原稿読取装置に隣接する装置の前記原稿読取装置が隣接する隣接側面と前記第２脚部材との間に空間が形成されるように、前記原稿読取装置に対し前記隣接側面の反対側になる右端側又は左端側に選択的に設置可能であることを特徴とするものである。
【発明の効果】
【０００６】
本発明によれば、原稿読取装置を隣接して設置する装置の操作性を保ちつつ、原稿読取装置の配置レイアウトの自由度を高められるという特有の効果が得られる。
【図面の簡単な説明】
【０００７】
【図１】プリンタを説明する斜視図。
【図２】プリンタに用紙後処理装置を備えた画像形成システムを説明する斜視図。
【図３】用紙後処理装置の構成を説明する概略図。
【図４】本実施形態に係る原稿読取装置の構成を示す斜視図。
【図５】プリンタに用紙後処理装置を備えた画像形成システムに原稿読取装置を取り付けた場合の斜め後ろ側から見たときの実施例１の原稿読取装置を説明する斜視図。
【図６】斜め前側から見たときの実施例１の原稿読取装置を説明する斜視図。
【図７】支柱部を除いた状態の実施例１の原稿読取装置を説明する斜視図。
【図８】用紙後処理後の用紙を取り出すときに原稿載置台を上方に開けた状態の実施例１の原稿読取装置を説明する斜視図。
【図９】原稿読取装置をプリンタの左側に設置した場合斜め前側から見たときの実施例２を説明する斜視図。
【図１０】実施例２における脚部の組立手順を説明する斜視図。
【図１１】原稿読取装置をプリンタの右側に設置した場合斜め前側から見たときの実施例３を説明する斜視図。
【図１２】支柱部を除いた状態の実施例３の原稿読取装置を説明する斜視図。
【図１３】実施例３における脚部の組立手順を説明する斜視図。
【図１４】ジャム紙除去用開閉扉を開けたときの実施例３の原稿読取装置を説明する斜視図。
【図１５】変形例の原稿読取装置における上向き原稿読取部を説明する斜視図。
【発明を実施するための形態】
【０００８】
以下、本発明を、画像形成装置である電子写真方式のプリンタ（以下、単に「プリンタ」という。）１００に適用した一実施形態について説明する。
図１は、プリンタ１００を説明する斜視図である。
図１に示すように、プリンタ１００は、給紙部１０１、画像形成部１０２、排紙部１０３、操作パネル１０４、下向き原稿読取部１０５、配線部１０６から構成されている。さらに、給紙部１０１は、用紙を収容する給紙トレイ、用紙を用紙搬送路に給紙する給紙ローラ等を含む。画像形成部１０２は、感光体、帯電装置、露光装置、現像装置、転写装置、除電装置、定着装置やクリーニング装置等を含む。排紙部１０３は、排紙ローラや排紙トレイ（胴内排紙トレイ）を含む。下向き原稿読取部１０５は、コンタクトガラスに原稿面を下向きにセットされた原稿を下方から照射する光源や、原稿面からの反射光を受光して原稿面の画像を光学的に読み取る読取装置等を含む。
【０００９】
さらに、プリンタ１００の上面側には、自動原稿搬送ユニット１１０が設置されている。その自動原稿搬送ユニット１１０は、下向き原稿を上方から押える押え板１１１と、原稿を下向き原稿読取部１０５へ搬送し、かつ読取後の原稿を押え板１１１の上面に設けられた排紙トレイに搬送する原稿搬送部１１２とから構成されている。図１に示す矢印Ｆはプリンタ１００の手前側を示し、矢印Ｒはプリンタ１００の奥側を示す。
【００１０】
次に、図１に示すプリンタ１００を用いて複写動作について説明する。自動原稿搬送ユニット１１０の複数枚の原稿シートからなる原稿束を原稿セット部にセットし、操作パネル１０４上に表示されたスタートボタンを押下する。原稿セット部にセットされた原稿束のうち一枚ずつ原稿シートが下向き原稿読取部１０５へ搬送され、下向き原稿読取部１０５によって原稿面の画像を光学的に読み取る。読み取った画像データは、配線部１０６によって画像形成部１０２の露光装置に供給され、その画像データに基づいて画像形成部１０２によって可視像を形成する。そして、その可視像を給紙部１０１によって給紙された用紙上に転写しかつ定着し、定着後の用紙は排紙部１０３に排紙される。以上の一連のように原稿読取動作及び画像形成動作を行い、原稿セット部にセットされた原稿の複写が行われる。
【００１１】
図２は、プリンタに用紙後処理装置を備えた画像形成システムを説明する斜視図である。図３は、用紙後処理装置の構成を説明する概略図である。
図２に示すように、通常、プリンタ１００は、プリンタ１００から排出される用紙に綴じ等の後処理を施す用紙後処理装置２００をオプション（拡張）として装着可能になっている。プリンタ１００と用紙後処理装置２００とが相互に通信可能に接続されて、画像形成システム１を構成している。その画像形成システム１では、プリンタ１００が用紙に画像を形成し、用紙後処理装置２００がプリンタ１００から用紙を受け入れて、受け入れた用紙に後処理としての綴じ処理を行う。用紙後処理装置２００では、綴じ処理以外の後処理として、例えば中折り処理を行う。
【００１２】
用紙後処理装置２００は、プリンタ１００から排出された用紙Ｐに対し綴じ処理を行う後処理部２１０、後処理後の用紙Ｐを排紙する第１排紙部２３０、第２排紙部２４０から構成されている。さらに、図３に示すように、画像形成システム１において、用紙後処理装置２００には、プリンタ１００から排出された用紙Ｐを受け入れて当該用紙Ｐを第１排紙部２３０の排紙トレイ２２５に排出するための第１搬送路Ｐｔ１が設けられている。また、第１搬送路Ｐｔ１から分岐して用紙束Ｐｂに綴じ処理等を施すための第２搬送路Ｐｔ２が設けられている。さらに、プレスタック２１８に用紙Ｐを排出する第３搬送路Ｐｔ３が設けられている。
【００１３】
そして、第１搬送路Ｐｔ１、第２搬送路Ｐｔ２及び第３搬送路Ｐｔ３は、例えば、複数の搬送ローラ対２１１〜２１７やガイド部材等によって形成された搬送部を構成する。第１分岐爪２１９によって第１搬送路Ｐｔ１又は第２搬送路Ｐｔ２に用紙Ｐの搬送方向が切り替わる。また、第２分岐爪２２０によって第２搬送路Ｐｔ２又は第３搬送路Ｐｔ３に用紙Ｐの搬送方向が切り替わる。
【００１４】
第１搬送路Ｐｔ１には、搬送ローラ対２１１、２１２、第１分岐爪２１９、搬送ローラ対２１３、２１４の順で、第１搬送路Ｐｔ１の用紙搬送方向上流側（以下、上流側という）から用紙搬送方向下流側（以下、下流側という）に向けて配置されている。搬送ローラ対２１１、２１２、搬送ローラ対２１３、２１４の各ローラは、モータによって回転駆動されて用紙Ｐを搬送する。搬送ローラ対２１１の上流側には、搬送センサが配置されており、この搬送センサで用紙Ｐが用紙後処理装置２００内へ搬入されたことを検知する。
【００１５】
また、搬送ローラ対２１２の下流側には、第１分岐爪２１９が配置されている。この第１分岐爪２１９は、回動してその姿勢を切り替えることで、上流側から搬送されてきた用紙Ｐを、第１搬送路Ｐｔ１における第１分岐爪２１９の下流側の部分と、第２搬送路Ｐｔ２とのいずれか一方へ選択的に案内する。この第１分岐爪２１９は、例えばモータやソレノイドなどで駆動される。
【００１６】
ノンステイプルモードにおいて、プリンタ１００から第１搬送路Ｐｔ１に搬入された用紙Ｐは、搬送ローラ対２１１、２１２、２１３、２１４によって搬送されて、排紙トレイ２２５に排出される。また、ステイプルモード及び中折りモードでは、第１搬送路Ｐｔ１に搬入された用紙Ｐは、第１分岐爪２１９で進行方向を変えられて、第２搬送路Ｐｔ２へ搬送される。第２搬送路Ｐｔ２には、搬送ローラ対２１５、２１６、２１７と、ステイプルトレイ２２１と、接着用トナー像によって用紙同士を接着する接着装置２２２とが配置されている。搬送ローラ対２１５、２１６、２１７の各ローラは、モータによって駆動されて用紙Ｐを搬送する。
【００１７】
ステイプルモードでは、プリンタ１００から受け入れた用紙Ｐは順次、ステイプルトレイ２２１上に集積される。これにより、指定された枚数（複数）の用紙Ｐが積層され、用紙束Ｐｂが形成される。この際、各用紙Ｐはその後端がステイプルトレイ２２１に設けられた第１可動基準フェンスに当接し、用紙搬送方向位置が揃えられるとともに、第２可動基準フェンスによって幅方向位置が揃えられる。なお、第１可動基準フェンスはモータによって駆動される。
【００１８】
ここで、ステイプルトレイ２２１、第１可動基準フェンス及び第２可動基準フェンスは、複数の用紙Ｐを重ねて用紙束Ｐｂとする束化部を構成している。束化部は、第１可動基準フェンスを駆動するモータや第２可動基準フェンスを駆動するモータを含み、束化された用紙束Ｐｂは、第１可動基準フェンスによって接着装置２２２へ搬送される。接着装置２２２では、接着用トナー像が形成されている用紙の綴じ代の箇所に圧力をかけながら加熱することで、用紙束Ｐｂを綴じる。
【００１９】
綴じられた用紙束Ｐｂは、第２可動基準フェンスによって第１搬送路Ｐｔ１に戻され、搬送ローラ対２１３、２１４によって搬送されて排紙トレイ２２５に排出される。
【００２０】
一方、中折りモードでは、第２搬送路Ｐｔ２に搬送された用紙Ｐはステイプルトレイ２２１に搬送される。そして、中折り位置に搬送された用紙束Ｐｂの用紙搬送方向中央部と対向する中折りブレード２２３が、図３図中の右から左へ移動して、用紙束Ｐｂの用紙搬送方向中央部を折り曲げながら押圧ローラ対２２４の間に押し込む。この時、中折りブレード２２３は、モータによって駆動される。
【００２１】
そして、折り曲げられた用紙束Ｐｂは、押圧ローラ対２２４によって上下から押圧される。ここで、押圧ローラ対２２４のローラは、モータによって駆動される。このようにして折り曲げられた用紙束Ｐｂは、押圧ローラ対２２４によって、第２排紙部２４０の排紙トレイ２２６上に排紙される。
【００２２】
また、用紙後処理装置２００には、各部の動作を制御する制御部を備えている。この制御部は、ＣＰＵ、記憶部、通信インターフェース等を有するコンピュータである。この制御部には、搬送センサ等が接続されている。そして、制御部（ＣＰＵ）は、記憶部に記憶されているプログラムに従って、用紙後処理装置２００の各部を駆動制御する。また、制御部は、上述したようにプリンタ１００の制御部とデータ通信可能に接続されている。
【００２３】
次に、本発明の特徴部分である原稿読取装置について説明する。
図４は、本実施形態に係る原稿読取装置の構成を示す斜視図である。
図４に示すように、原稿読取装置３００は、支持板３０１、支柱部３０２、上向き原稿読取部３０３、配線部３０４、載置台たる原稿載置台３０５、画像表示部３０６、脚部３０７及びフットスイッチ部３０８から構成される。支持板３０１は、原稿載置台３０５に対し分離された板材であり、その原稿載置台３０５が軸回動して開閉可能になるよう、支持板３０１と原稿載置台３０５との間に軸回動部たるヒンジ部が設けられている。支柱部３０２は、支持板３０１上に固定され、その支柱部３０２の頂部は原稿載置台３０５の載置面に対向するよう装置本体の前方に延び、その頂部には上向き原稿読取部３０３が設けられている。なお、その頂部には上向き原稿読取部３０３以外にＬＥＤ等の光源（照明）を備えてもよい。
【００２４】
さらに、配線部３０４は、プリンタとの間で読取データや制御信号のやり取りを行う。原稿載置台３０５の上面には、上向き原稿読取部３０３の撮像領域を示す外枠と、その撮像領域の中心位置を示す十字とが線で表示されている上向き原稿位置合わせ部３０５ａが設けられている。その上向き原稿位置合わせ部３０５ａは、直印刷、デカル、型彫り、上方から照射、あるいは下方から発光のいずれかの方法で表示される。その表示により、原稿の位置が撮影範囲を外れていることや原稿が傾いていることの目安となり、原稿読取での不具合を事前に防ぐことができる。
【００２５】
さらに、支柱部３０２の前面には、画像表示部３０６のモニタ（画面）が設けられている。そのモニタには、例えば撮影する画像をリアルタイムで表示することで、原稿を上向きでセットするとき、撮影範囲を外れていることや原稿が傾いていることなどがわかる。それにより、容易に原稿の位置合わせを行うことができ、原稿読取での不具合を事前に防ぐことができる。
また、脚部３０７は、第１支持部材たる背面脚部材３０７ａと第２支持部材たる側面脚部材３０７ｂとで構成されている。そして、側面脚部材３０７ｂは、背面脚部材３０７ａに重ねた状態（折り畳み状態）で設置したり、背面脚部材３０７ａの右側又は左側に設置したりする。
【００２６】
なお、背面脚部材３０７ａや側面脚部材３０７ｂは、矩形枠状のフレームで構成され、軽量化かつ低価格化を図ることができる。互いに対向する枠状の一対の上端フレームと下端フレームで少なくとも形成され、上端フレームの上面で原稿載置台を下方から支え、かつ、下端フレームの下面で設置面上に立地する。さらに、上端フレームの両端とその両端に対向する下端フレームの両端とは、一対の垂下フレームで連結されている。これら複数のフレームを互いに溶接して矩形枠状のフレームを形成してもよく、フレーム全体が一体化されていてもよい。さらに、背面脚部材３０７ａや側面脚部材３０７ｂは、矩形枠状のフレームに限らず、矩形枠状の内部が部材で埋まっている板状部材でもよく、脚部の強度を高められる。さらに、側面脚部材３０７ｂの幅方向の長さは、プリンタの奥行きの長さに比べて同じ又は狭い。それにより、側面脚部材３０７ｂを背面脚部材３０７ａの右側又は左側に設置したときに、後述する印刷後の用紙取り出し作業時やジャム紙除去作業時に側面脚部材３０７ｂが作業者側に突出していないことで、それらの作業に障害とならずに作業を行うための十分な空間を確保することができる。
【００２７】
さらに、背面脚部材３０７ａと側面脚部材３０７ｂとは、ネジ等で互いに着脱可能に締結されている。あるいは、設置形態を変えるごとにその締結作業が必要となるため作業コストアップにつながるので、軸回動可能の軸回動部たるヒンジ部を用いて互いに係合させることで締結作業を不要にして作業コスト低下を図ってもよい。そのヒンジ部は、側面脚部材３０７ｂを背面脚部材３０７ａに対し右側又は左側に軸回動が切り替えられる構造を有するものであればより好ましい。また、フットスイッチ部３０８は、上向き原稿として例えば書籍を開くために両手が塞がっていても、フットスイッチ部３０８を足で押下することで上向き原稿読取部３０３によって上向き原稿を読み取れる。さらに、フットスイッチ部３０８に替えて使用者の音声（例えば「撮れ」）に応答（音声認識）する装置を用いてもよく、あるいは上向き原稿をセットした後に所定時間（例えば１秒）が経過した後に自動的に読み取るようなアルゴリズムを備えてもよい。
【００２８】
（実施例１）
上記実施形態の一実施例（以下、本実施例を「実施例１」という。）について説明する。
図５は、プリンタに用紙後処理装置を備えた画像形成システムに原稿読取装置を取り付けた場合の斜め後ろ側から見たときの実施例１の原稿読取装置を説明する斜視図である。図６は、斜め前側から見たときの実施例１の原稿読取装置を説明する斜視図である。図７は、支柱部を除いた状態の実施例１の原稿読取装置を説明する斜視図である。図８は、用紙後処理後の用紙を取り出すときに原稿載置台を上方に開けた状態の実施例１の原稿読取装置を説明する斜視図である。
【００２９】
画像形成装置の左右側面のいずれか一方の側面に例えばジャム紙を取り除くための開閉扉が備えられていると、その開閉扉を開けてジャム紙を取り除く作業を阻害しないよう、他方の側面側に原稿読取装置を配置しなければならない。さらには、プリンタの他方の側面にも例えば手差し給紙トレイが備えられていると、原稿読取装置をプリンタに隣接して配置することができない。これらのように、プリンタの操作性が犠牲にならないようにするために、原稿読取装置の配置レイアウトに制限が生じていた。そこで、実施形態の原稿読取装置では、原稿読取装置の配置レイアウトの自由度を高められるものを提供する。
【００３０】
実施例１は、プリンタ１００に用紙後処理装置を備えた画像形成システムに原稿読取装置を取り付けた場合の実施例である。図５及び図６に示すように、側面脚部材３０７ｂが背面脚部材３０７ａに重なった状態（折り畳み状態）にし、その重なった状態の脚部３０７を用紙後処理装置２００の背面側に設置する。原稿読取装置の荷重の大部分は脚部３０７で支えており、用紙後処理装置２００の背面筐体に寄り添わせて立地させている。配線部３０４は、プリンタ１００の制御部に電気的に接続されている。
【００３１】
実施例１によれば、原稿読取装置３００を用紙後処理装置２００の上方に設置することで、画像形成システムにおける設置スペースの更なる拡大を抑制することができる。なお、図７に示すように、接地枠部材３０９は、原稿載置台３０５を下方から支える支持部材であり、背面脚部材３０７ａの上部に締結されて設けられる。その接地枠部材３０９をプリンタ１００の筐体の一部にネジ等で締結することで、原稿読取装置３００の自立状態を安定にしたり、原稿読取装置３００の用紙後処理装置２００への荷重をプリンタ１００側に分散させたりすることが可能となる。さらに、図７及び図８に示すように、用紙後処理装置２００の第１排紙部２３０に排紙された用紙を取り出すときにその操作を阻害しないよう、接地枠部材３０９における前方角の枠部の設けられていない部分（切欠き部）が形成されている。そして、図８に示すように、排紙された用紙を取り出す時に、原稿載置台３０５は上方に開け、その排紙された用紙を接地枠部材３０９における枠部の設けられていない部分から容易に取り出すことができる。
【００３２】
実施例１は、画像形成システムの用紙後処理装置２００の上方に原稿読取装置３００を設置した場合であるが、その場合に限らず、原稿読取装置３００をプリンタ１００の上方に設置した場合にも適用可能である。その場合では、側面脚部材３０７ｂを背面脚部材３０７ａに重ねた状態の脚部３０７をプリンタ１００の背面側に設置してプリンタ１００の背面筐体に寄り添わせて立地させることが可能である。なお、その場合は、例えば押え板１１１を上方に開けたときにその押え板１１１に対し干渉しない位置に原稿読取装置３００を設置可能であり、かつ、原稿読取装置３００による上向き原稿の読取操作に支障がない場合である。
【００３３】
（実施例２）
上記実施形態の他の実施例（以下、本実施例を「実施例２」という。）について説明する。
図９は、原稿読取装置をプリンタの左側に設置した場合斜め前側から見たときの実施例２を説明する斜視図である。図１０は、実施例２における脚部の組立手順を説明する斜視図である。
図９に示すように、実施例２では、実施例１とは異なり、用紙後処理装置２００は設置されていない。そして、実施例２は、プリンタの左側に原稿読取装置を設置した場合の実施例である。プリンタ１００の左側に空きスペースがあってその空きスペースに原稿読取装置３００を配置する場合、側面脚部材３０７ｂを背面脚部材３０７ａの左側に設置する。さらには、背面脚部材３０７ａと側面脚部材３０７ｂとがなす角度が所定の角度例えば９０度となるよう側面脚部材３０７ｂを背面脚部材３０７ａに対し開いた状態にする。それにより、プリンタ１００の左側面側には障害物のない空間が形成される。なお、接地枠部材３０９は、プリンタ１００の筐体の一部にネジ等で締結され、原稿読取装置３００の自立状態を安定にしたり、原稿読取装置３００の用紙後処理装置２００への荷重をプリンタ１００側に分散させたりしている（図７参照）。
【００３４】
実施例２によれば、プリンタ１００の排紙される用紙が例えばＡ３等の大きめのサイズである場合、その用紙はプリンタ１００の胴内排紙部に排紙され、さらにプリンタの側面からはみ出た状態で積載される。この場合には、図９に示すように、側面脚部材３０７ｂを背面脚部材３０７ａの左側に設置することで、プリンタ１００の側面側に作業空間を確保して、積載された用紙の取り出す作業を阻害させないようにすることができる。
【００３５】
ここで、実施例２における脚部の組立手順について説明する。
図１０（ａ）に示すように、出荷時は、背面脚部材３０７ａと側面脚部材３０７ｂとは、互いに重なった状態で、３箇所をネジで連結されている。そして、図中の矢印Ａ、Ｂ、Ｃの方向に各ネジをそれぞれ外し、図中の矢印Ｄの方向へ側面脚部材３０７ｂを背面脚部材３０７ａから引き離す。次に、図１０（ｂ）に示すように、背面脚部材３０７ａを前方から見て背面脚部材３０７ａの左側に、すなわち図中の矢印Ｅの方向へ側面脚部材３０７ｂを移動させ配置する。そして、図中の矢印Ｆ、Ｇ、Ｈの方向に各ネジでそれぞれ締結し、背面脚部材３０７ａと側面脚部材３０７ｂと接地枠部材３０９とを互いに連結する。その後、接地枠部材３０９の上面に支持板３０１と原稿載置台３０５を取り付ける。以上により、側面脚部材３０７ｂの背面脚部材３０７ａの左側への設置と組立が完了する。
【００３６】
（実施例３）
上記実施形態のさらに他の実施例（以下、本実施例を「実施例３」という。）について説明する。
図１１は、原稿読取装置をプリンタの右側に設置した場合斜め前側から見たときの実施例３を説明する斜視図である。図１２は、支柱部を除いた状態の実施例３の原稿読取装置を説明する斜視図である。図１３は、実施例２における脚部の組立手順を説明する斜視図である。図１４は、ジャム紙除去用開閉扉を開けたときの実施例３の原稿読取装置を説明する斜視図である。
【００３７】
図１１に示すように、実施例３でも、用紙後処理装置２００は設置されていない。プリンタ１００の右側に空きスペースがあってその空きスペースに原稿読取装置３００を配置する場合、側面脚部材３０７ｂを背面脚部材３０７ａの右側に設置する。背面脚部材３０７ａと側面脚部材３０７ｂとがなす角度は９０度となるよう、側面脚部材３０７ｂを背面脚部材３０７ａに対し開いた状態にする。それにより、プリンタ１００の右側面側には障害物のない空間が形成される。なお、接地枠部材３０９は、図１２に示すように、プリンタ１００の筐体の一部にネジ等で締結され、原稿読取装置３００の自立状態を安定にしたり、原稿読取装置３００の用紙後処理装置２００への荷重をプリンタ１００側に分散させたりしている。
【００３８】
ここで、実施例３における脚部の組立手順について説明する。
図１３（ａ）に示すように、出荷時は、背面脚部材３０７ａと側面脚部材３０７ｂとが互いに重ね合せてネジで連結されている。その状態から、図中の矢印Ａ、Ｂ、Ｃの方向に各ネジをそれぞれ外し、図中の矢印Ｄの方向へ側面脚部材３０７ｂを背面脚部材３０７ａから引き離す。次に、図１３（ｂ）に示すように、背面脚部材３０７ａを前方から見て背面脚部材３０７ａの右側に、すなわち図中の矢印Ｅの方向へ側面脚部材３０７ｂを移動させ配置する。そして、図中の矢印Ｆ、Ｇ、Ｈの方向に各ネジでそれぞれ締結し、背面脚部材３０７ａと側面脚部材３０７ｂと接地枠部材３０９とを連結する。その後、接地枠部材３０９の上面に支持板３０１と原稿載置台３０５を取り付ける。以上により、側面脚部材３０７ｂの背面脚部材３０７ａの右側への設置と組立が完了する。
【００３９】
実施例３によれば、例えばジャムが生じた場合、図１４に示すように、そのジャム紙を取り出すためにプリンタ１００の右側の側面に設けられているジャム紙除去用開閉扉１１３を開いてジャム紙を取り除くことがある。その場合、側面脚部材３０７ｂを背面脚部材３０７ａの右側に設置することで、プリンタ１００の側面側に作業空間を確保して、そのジャム紙を取り出したり、手差しで用紙をセットしたりする作業を阻害しないようにすることができる。
【００４０】
（変形例）
次に、上記実施形態の一変形例について説明する。
図１５は、変形例の原稿読取装置における上向き原稿読取部を説明する斜視図である。
図１５に示すように、変形例では、支柱部３０２は上面を傾斜させていることで、上向き原稿読取部３０３の前方突出が減るような上端屈曲部３１０にしてもよい。図４のように、支柱部３０２を垂直方向から直角に１回曲げて水平で前方に支柱部３０２を延ばして先端に上向き原稿読取部３０３を固定する構成に比べて次の点で望ましい。つまり、例えば、図１５のように、支柱部３０２の上端屈曲部３１０を鈍角で２回曲げて上端屈曲部３１０に水平部分がないようにして先端に上向き原稿読取部３０３を固定する構成の方が、支柱部３０２の長さの削減が可能である。そのため、画像ブレの要因となる上向き原稿読取部３０３の前方への突出を減らしたり、上向き原稿読取部３０３を固定する部分を軽くしたりすることができる。
【００４１】
さらに、カメラカバー部３１１は、原稿読取装置３００の前方からみて、前面３１１ａや左右面３１１ｂを傾斜させてもよい。さらに、図４のように、カメラカバー部３１１の上面を水平な平面にするよりも、例えば、図１５のように、カメラカバー部３１１の上面３１１ｃを凸状に湾曲させたり、前後左右を下広がりに傾斜させたりする。それにより、カメラカバー部３１１に物を置くのを抑止することができ、画像ブレの要因となる支柱部３０２の揺れや歪みを減らすことができる。
【００４２】
以上に説明したものは一例であり、次の態様毎に特有の効果を奏する。
（態様Ａ）
原稿を載置する原稿載置台３０５等の載置台と、該載置台に配置された原稿を読み取る上向き原稿読取部３０３等の読取部とを備える原稿読取装置３００において、前記載置台を下方から支える２つの脚部材を有し、背面脚部材３０７ａ等の第１脚部材は、前記原稿読取装置の背面側に設置し、側面脚部材３０７ｂ等の第２脚部材は、前記原稿読取装置に隣接する装置の前記原稿読取装置が隣接する隣接側面と前記第２脚部材との間に空間が形成されるように、前記原稿読取装置に対し前記隣接側面の反対側になる右端側又は左端側に選択的に設置可能であることを特徴とするものである。
本態様によれば、原稿読取装置に対して例えば画像形成装置を隣接して設置する場合、原稿読取装置に隣接する画像形成装置の隣接側面と第２脚部材との間に空間が形成されるように、原稿読取装置に対し隣接側面の反対側になる右端側又は左端側に選択的に設置可能である。具体的には、原稿読取装置に対し隣接側面の反対側になる右端側又は左端側になるように第２脚部材を第１脚部材に対し右側又は左側に選択的に設置可能である。それにより、障害物の無い空間を介して画像形成装置の左側又は右側で行う操作を容易に行うことができる。さらには、原稿読取装置を画像形成装置の左右両側に空間を形成させるよう設置する場合は、第２脚部材を第１脚部材の左右両側に設置しない。例えば、第１脚部材と第２脚部材とを互いに重ねた状態で原稿読取装置の背面側に設置する。それにより、原稿読取装置の前方と左右両側とに空間が形成される。そして、原稿読取装置の前方に形成された空間に画像形成装置を設置することで、画像形成装置の左右両側に形成された空間を介して画像形成装置の左右両側で行う操作を容易に行うことができる。画像形成装置の左右両側で行われる操作を阻害せずに原稿読取装置を画像形成装置に隣接して設置することができる。よって、画像形成装置の操作性を保ちつつ、原稿読取装置を画像形成装置の左側又は右側にあるいは原稿読取装置の前方に、画像形成装置を隣接して配置することができる。
以上のように、原稿読取装置を隣接して配置する装置の操作性を犠牲にさせないための原稿読取装置の配置レイアウト制限は、載置台を左右両側の板状の脚部で支える上記特許文献１の構成に比べて減る。よって、原稿読取装置を隣接して配置する装置の操作性を保ちつつ、原稿読取装置の配置レイアウトの自由度を高められる。
【００４３】
（態様Ｂ）
（態様Ａ）において、第２脚部材は、第１脚部材に対し右側と左側との少なくとも一方に設置されないことを特徴とするものである。
かかる構成により、例えば画像形成装置の右側に原稿読取装置を隣接して設置する場合には、第２脚部材を第１脚部材の右側に設置する。それにより、画像形成装置の右側面と第２脚部材との間に空間が形成され、その画像形成装置の右側で行われる操作を阻害せずに原稿読取装置を画像形成装置の右側に隣接して設置することができる。さらには、画像形成装置の左側に原稿読取装置を設置する場合には、第２脚部材を第１脚部材の左側に設置する。それにより、画像形成装置の左側面と第２脚部材との間に空間が形成され、その画像形成装置の左側で行われる操作を阻害せずに原稿読取装置を画像形成装置の左側に隣接して設置することができる。さらには、原稿読取装置を画像形成装置の左右両側に空間を形成させるよう設置する場合には、第２脚部材を第１脚部材の左右両側に設置しない。例えば、第１脚部材と第２脚部材とを互いに重ねた状態で原稿読取装置の背面側に設置する。それにより、原稿読取装置の前方と左右両側とに空間が形成される。そして、原稿読取装置の前方に形成された空間に画像形成装置を設置することで、画像形成装置の左右両側に形成された空間を介して画像形成装置の左右両側で行う操作を容易に行うことができる。画像形成装置の左右両側で行われる操作を阻害せずに原稿読取装置を画像形成装置に隣接して設置することができる。以上により、原稿読取装置を隣接して設置する装置の操作性を保ちつつ、原稿読取装置の配置レイアウトの自由度を高められる。
【００４４】
（態様Ｃ）
（態様Ｂ）において、前記第１脚部材に対し前記第２脚部材を左右両側に設置しないときは、前記第２脚部材を前記第１脚部材に重ねて設置することを特徴とする。
かかる構成により、第１脚部材と第２脚部材とを互いに重ねた状態で、原稿読取装置を隣接して配置する装置の背面側に設置する。それにより、その装置の背面よりも脚部を後方へ突出するのを抑制できる。よって、後方の設置スペースの拡大を抑制することができる。
【００４５】
（態様Ｄ）
（態様Ｂ）において、前記第１脚部材に対し前記第２脚部材を右側又は左側に設置しないときは、前記第２脚部材は、前記第１脚部材に対し所定の角度をもって左側又は右側に開いて設置することを特徴とするものである。
かかる構成により、第１脚部材と第２脚部材とで形成される少なくとも三点の支持箇所で載置台を安定に支持し、かつ、第１脚部材と第２脚部材とを設置面上にも安定に自立させることができる。
【００４６】
（態様Ｅ）
（態様Ａ）乃至（態様Ｄ）において、前記第１脚部材と前記第２脚部材とは、互いに着脱可能に係合されていることを特徴とするものである。
本態様によれば、第１脚部材と第２脚部材とは例えばネジ締結やヒンジ等で互いに着脱可能に係合される。それにより、例えば原稿読取装置を画像形成装置の左側に設置したいと、逆に右側に設置したいとか、さらには画像形成装置の上方に設置したいというユーザの原稿読取装置の設置要望に応じて、第１脚部材と第２脚部材との設置形態を容易に変えられる。
【００４７】
（態様Ｆ）
（態様Ａ）乃至（態様Ｅ）において、前記第２脚部材の横幅は、前記原稿読取装置を隣接して設置する装置の奥行きと同じ又は狭いことを特徴とするものである。
かかる構成により、第２脚部材の前方への突出を抑えられ、かつ、第２脚部材を第１脚部材の右側又は左側に設置することで形成された空間のうち手前側の間口を広げることができる。それにより、原稿読取装置を隣接して配置する装置として例えば画像形成装置の側面から排紙された用紙を取り出し易くなり、画像形成装置の操作性の犠牲を軽減できる。
【００４８】
（態様Ｇ）
（態様Ａ）乃至（態様Ｆ）において、前記第１脚部材と前記第２脚部材とは、矩形枠状のフレームで構成することを特徴とするものである。
かかる構成により、板状部材で構成された従来の構成に比べ、軽量化及び低価格化を図ることができる。
【００４９】
（態様Ｈ）
（態様Ａ）乃至（態様Ｇ）において、前記載置台を下方から支える接地枠部材３０９等の支持部材を備え、該支持部材は、前記第２脚部材と連結してあるいは一体化に形成され、かつ、前記原稿読取装置を隣接させて配置する装置に対し着脱可能に係合されることを特徴とするものである。
かかる構成により、第２脚部材を第１脚部材の右側又は左側に設置した場合、第１脚部材は支持部材を介して原稿読取装置を隣接して配置する装置に着脱可能に係合する。それにより、原稿読取装置を隣接して配置する装置側に載置台や読取部の荷重を分散し、脚部が安定に自立でき、かつ支持箇所を増加でき載置台を安定に支持することできる。
【００５０】
（態様Ｉ）
（態様Ｈ）において、前記支持部材は、欠き部を備えていることを特徴とするものである。
かかる構成により、載置台を上方に開けたときにあらわれる支持部材の切欠き部を通して、原稿読取装置を隣接して配置する装置として例えば画像形成装置の側面から排紙された用紙を取り出し易くなり、画像形成装置の操作性の犠牲を軽減できる。
【００５１】
（態様Ｊ）
（態様Ａ）乃至（態様Ｉ）において、前記載置台が前後に分割され、その分割された前記載置台の前部は、前記載置台の後部に対し軸回動部をもって軸回動可能に連結されていることを特徴とするものである。
かかる構成により、載置台の前部を軸回動で上方に開けたときに、載置台の前部を閉じたときよりも設置台の下方の空間高さを高くすることができる。それにより、原稿読取装置を隣接して配置する装置として例えば画像形成装置や用紙後処理装置の上面から排紙された用紙を取り出し易くなり、画像形成装置や用紙後処理装置の操作性の犠牲を軽減できる。
【符号の説明】
【００５２】
１  画像形成システム
１００  プリンタ
１０１  給紙部
１０２  画像形成部
１０３  排紙部
１０４  操作パネル
１０５  下向き原稿読取部
１０６  配線部
１１０  自動原稿搬送ユニット
１１１  押え圧板
１１２  原稿搬送部
１１３  ジャム紙除去用開閉扉
１１４  手差し給紙用開閉扉
２００  用紙後処理装置
３００  原稿読取装置
３０１  支持板
３０２  支柱部
３０３  上向き原稿読取部
３０４  配線部
３０５  原稿載置台
３０５ａ  上向き原稿位置合わせ部
３０６  画像表示部
３０７  脚部
３０７ａ  背面脚部材
３０７ｂ  側面脚部材
３０８  フットスイッチ部
３０９  接地枠部材
３１０  上端屈曲部
３１１  カメラカバー部
３１１ａ  前面
３１１ｂ  左右面
３１１ｃ  上面
【先行技術文献】
【特許文献】
【００５３】
【特許文献１】特開平０４−０６１５５１号公報
【図１】
2018026635.tif 000003
【図２】
2018026635.tif 000004
【図３】
2018026635.tif 000005
【図４】
2018026635.tif 000006
【図５】
2018026635.tif 000007
【図６】
2018026635.tif 000008
【図７】
2018026635.tif 000009
【図８】
2018026635.tif 000010
【図９】
2018026635.tif 000011
【図１０】
2018026635.tif 000012
【図１１】
2018026635.tif 000013
【図１２】
2018026635.tif 000014
【図１３】
2018026635.tif 000015
【図１４】
2018026635.tif 000016
【図１５】
2018026635.tif 000017